【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
無線通信システムにおけるＤ２Ｄ（デバイスツーデバイス）通信の使用方法であって、
前記無線通信システムは、１つ以上のアクセスノードを含むセルラーネットワークと、１つ以上の前記アクセスノードを介して１つのＵＥから別のＵＥへデータが送信されるセルラーモードで動作可能なＵＥ（ユーザ端末）と、を備え、少なくともいくつかのＵＥは、ＵＥのペアがＤ２Ｄリンク（Ｄ２Ｄ通信リンク）を介して１つのＵＥから他のＵＥへデータを直接送信する直接通信モードでも動作可能なＤ２Ｄ−ＵＥ（Ｄ２Ｄ可能ＵＥ）であり、
前記使用方法は、
前記直接通信モードで動作するＤ２Ｄ−ＵＥと前記セルラーネットワーク間の制御シグナリング接続を維持し、
前記直接通信モードで動作するＤ２Ｄ−ＵＥを、前記セルラーモードに１回以上変更させ、前記セルラーネットワークへＣＳＩ（チャネル状態情報）を送信させ、
Ｄ２Ｄ−ＵＥに前記直接通信モードまたは前記セルラーモードで動作させるかどうかを決定するために、前記ＣＳＩ及び／またはＤ２Ｄ−ＵＥのためのネットワーク利用可能な地理的位置情報を使用する、
使用方法。
【請求項２】
Ｄ２Ｄ−ＵＥが直接通信を利用可能かどうか決定することを含むネットワークアシストディスカバリを実行し、
直接通信を確立するかどうか、または、セルラーモード通信を継続するかどうかを決定するために、Ｄ２Ｄリンクとセルラーネットワークの１つまたは両方のＣＳＩ（チャネル状態情報）を評価することを含む初期Ｄ２Ｄリンク評価を実行し、
前記Ｄ２Ｄリンクを確立するためにＤ２Ｄリンク確立を実行し、
前記Ｄ２Ｄリンクを介して直接通信を実行し、
前記Ｄ２Ｄリンクを終了するＤ２Ｄリンク終了を実行し、
以上の１つ以上をさらに含む、請求項1に記載の使用方法。
【請求項３】
前記ネットワークアシストディスカバリの実行は、１つのＤ２Ｄ−ＵＥにＤ２Ｄグループオーナの役割を割り当て、１つ以上の他のＤ２Ｄ−ＵＥにＤ２Ｄクライアントの役割を割り当てることを含み、前記Ｄ２Ｄグループオーナ及びＤ２Ｄクライアントは、直接通信するＤ２Ｄ−ＵＥのペアである、
請求項２に記載の使用方法。
【請求項４】
前記Ｄ２Ｄリンク確立、前記直接通信及び前記Ｄ２Ｄリンク終了は、Ｄ２Ｄ−ＵＥが直接通信を利用可能であり、かつ、前記Ｄ２Ｄリンク評価においてＤ２Ｄ−ＵＥが直接通信を行うことを決定された場合にのみ実行される、
請求項２に記載の使用方法。
【請求項５】
前記初期Ｄ２Ｄリンク評価の実行では、
Ｄ２Ｄ−ＵＥのペアを前記直接通信モードに切り替え、
前記直接通信モードにおいて、前記Ｄ２Ｄグループオーナは、前記Ｄ２Ｄクライアントへプローブ要求メッセージを送信し、前記Ｄ２Ｄクライアントは、前記プローブ要求メッセージを受信すると、前記Ｄ２Ｄクライアントによって観察されたＣＳＩを前記Ｄ２Ｄグループオーナへ送信し、
前記Ｄ２Ｄグループオーナは、前記Ｄ２Ｄクライアントによって観察されたＣＳＩ及び前記Ｄ２Ｄグループオーナ自身のＣＳＩ測定に基づいてＣＳＩ測定を実行し、
Ｄ２Ｄ−ＵＥのペアは、所定の時間にセルラーモードに切り戻し、
前記セルラーモードにおいて、前記Ｄ２Ｄグループオーナは、そのアクセスノードへＤ２ＤリンクＣＳＩを送信し、
前記アクセスノードは、Ｄ２Ｄリンク管理を実行し、前記Ｄ２Ｄリンク管理は、報告されたＤ２ＤリンクＣＳＩとセルラーリンクＣＳＩとを比較し、前記直接通信をアクティブにするかどうか、または、Ｄ２Ｄ−ＵＥのためのセルラー通信を継続するかどうか決定することを含む、
請求項３に記載の使用方法。
【請求項６】
前記Ｄ２Ｄリンク管理の実行は、直接通信をアクティブにすると決定された場合に、前記直接通信で使用する直接通信パラメータ値を取得することを含む、
請求項５に記載の使用方法。
【請求項７】
前記Ｄ２Ｄリンクを介した直接通信の実行は、
直接データ交換を開始するため、所定の時間に前記直接通信モードへＤ２Ｄ−ＵＥのペアの両方を切り替え、
Ｄ２Ｄ−ＵＥのペアの間で直接データ交換を実行し、
所定の時間にＤ２Ｄ−ＵＥのペアによってＤ２ＤリンクＣＳＩ測定を実行し、
所定の時間に、Ｄ２Ｄ−ＵＥのペアの両方は、セルラーモードに切り替えて、ＣＳＩレポートをそれらのアクセスノードへ送信し、報告されたＣＳＩは、前記直接通信モードで前記Ｄ２Ｄ-ＵＥによって測定されたＣＳＩ及びセルラーモードで前記Ｄ２Ｄ-ＵＥによって測定されたＣＳＩを含み、
報告されたＣＳＩに基づいて、前記Ｄ２Ｄグループオーナのアクセスノードは、干渉管理及び接続評価手順を実行し、Ｄ２Ｄ-ＵＥへＤ２Ｄ再設定のための更新Ｄ２Ｄパラメータ値を送信し、
更新Ｄ２Ｄパラメータ値のそれぞれを受信した後、Ｄ２Ｄ-ＵＥは、直接通信の新たなサイクルのために直接通信モードに切り戻す、
請求項３に記載の使用方法。
【請求項８】
前記Ｄ２Ｄリンク終了は、Ｄ２Ｄトランザクションが完了したとき、または、Ｄ２Ｄリンクの障害によって、または、セルラーネットワークアクセスノードによって、実行される、
請求項３に記載の使用方法。
【請求項９】
１つ以上のアクセスノードを含むセルラーネットワークと、
１つ以上の前記アクセスノードを介して１つのＵＥから別のＵＥへデータが送信されるセルラーモードで動作可能なＵＥ（ユーザ端末）と、を備え、少なくともいくつかのＵＥは、ＵＥのペアが１つのＵＥから他のＵＥへデータを直接送信する直接通信モードでも動作可能なＤ２Ｄ−ＵＥ（Ｄ２Ｄ可能ＵＥ）であり、
前記直接通信モードで動作するＤ２Ｄ−ＵＥは、前記セルラーネットワークとの制御シグナリング接続を維持し、前記セルラーモードに１回以上変更し、前記セルラーネットワークへＣＳＩ（チャネル状態情報）を送信し、前記セルラーネットワークは、Ｄ２Ｄ−ＵＥに前記直接通信モードまたは前記セルラーモードで動作させるかどうかの決定において、前記ＣＳＩ及び／またはＤ２Ｄ−ＵＥのためのネットワーク利用可能な地理的位置情報を使用する、
無線通信システム。
【請求項１０】
前記無線通信システムは、ＣＡ（キャリアアグリゲーション）機能を備えない、Ｄ２Ｄ可能なＬＴＥ（ロングタームエボリューション）ＴＤＤ（時分割多重）システムである、
請求項９に記載の無線通信システム。
【請求項１１】
前記セルラーモードは、ダウンリンク送信状態及びアップリンク送信状態を含み、
前記ダウンリンク送信状態では、キャリア周波数上で、アクセスノードが、信号及び／または物理チャネルの送信を実行しつつ、ＵＥが、信号及び／または物理チャネルの監視または受信を実行し、
前記アップリンク送信状態では、前記キャリア周波数上でまた、前記アクセスノードが、信号及び／または物理チャネルの受信を実行しつつ、ＵＥが、信号及び／または物理チャネルの送信を実行する、
請求項１０に記載の無線通信システム。
【請求項１２】
Ｄ２Ｄ−ＵＥのペアが直接通信モードにおいて無線フレームの特定のサブフレームで動作している場合、他のＤ２Ｄ−ＵＥが前記キャリア周波数または直接通信専用のキャリアコンポーネントでＤ２Ｄ受信を実行している間、１つのＤ２Ｄ−ＵＥのみがＤ２Ｄ送信を実行する、
請求項１１に記載の無線通信システム。
【請求項１３】
無線通信システムはＣＡ（キャリアアグリゲーション）機能を備えない、Ｄ２Ｄ可能なＬＴＥ（ロングタームエボリューション）ＦＤＤ（周波数分割多重）システムである、
請求項９に記載の無線通信システム。
【請求項１４】
前記セルラーモードでは、ダウンリンクキャリア周波数上で、アクセスノードが、ダウンリンク信号及び／または物理チャネルの送信を実行しつつ、ＵＥが、ダウンリンク信号及び／または物理チャネルの監視または受信を実行し、
同時に、アップリンクキャリア周波数上で、前記アクセスノードが、アップリンク信号及び／または物理チャネルの受信を実行しつつ、ＵＥが、アップリンク信号及び／または物理チャネルの送信を実行する、
請求項１３に記載の無線通信システム。
【請求項１５】
Ｄ２Ｄ−ＵＥのペアが前記直接通信モードにおいて無線フレームの特定のサブフレームで動作している場合、他のＤ２Ｄ−ＵＥがＤ２Ｄ受信を前記ダウンリンクキャリア周波数または前記アップリンクキャリア周波数または直接通信専用のキャリアコンポーネントで実行している間、１つのＤ２Ｄ−ＵＥのみがＤ２Ｄ送信を実行する、
請求項１４に記載の無線通信システム。
【請求項１６】
Ｄ２Ｄ−ＵＥは、それぞれ、異なるキャリア周波数で同時に送信及び受信の実行を可能にするフルデュプレクサを有し、
Ｄ２Ｄ−ＵＥは、前記ダウンリンクキャリア周波数上の特定のサブフレームによりＤ２Ｄ受信を実行する前記直接通信モードで動作し、前記セルラーアップリンクキャリア周波数上の同じサブフレームによりセルラーアップリンク信号及び／または物理チャネルの送信を実行可能であり、
Ｄ２Ｄ−ＵＥは、前記セルラーアップリンクキャリア周波数上の特定のサブフレームによりＤ２Ｄ送信を実行する前記直接通信モードで動作し、前記セルラーダウンリンクキャリア周波数上の同じサブフレームによりセルラーダウンリンク信号及び／または物理チャネルの監視または受信を実行可能である、
請求項１５に記載の無線通信システム。
【請求項１７】
前記無線通信システムは、ＣＡ（キャリアアグリゲーション）機能を備えた、Ｄ２Ｄ可能なＬＴＥ（ロングタームエボリューション）ＴＤＤ（時分割多重）システムである、
請求項９に記載の無線通信システム。
【請求項１８】
前記セルラーモードは、ダウンリンク送信状態及びアップリンク送信状態を含み、
前記ダウンリンク送信状態では、ＣＡ機能を備えたアクセスノードは、プライマリコンポーネントキャリアのセルラーダウンリンクリソースと必要に応じてセカンダリコンポーネントキャリアのセルラーアグリゲートダウンリンクリソースとで、ダウンリンク信号及び／または物理チャネルの送信を実行し、ＵＥは、同じプライマリコンポーネントキャリアと必要に応じてセカンダリコンポーネントキャリアとで、信号及び／または物理チャネルの監視または受信を実行し、
前記アップリンク送信状態では、前記プライマリコンポーネントキャリアと必要に応じてセカンダリコンポーネントキャリアで、ＣＡ機能を備えたアクセスノードは、信号及び／または物理チャネルの受信を実行しつつ、ＵＥは、アップリンク信号及び／または物理チャネルの送信を実行する、
請求項１７に記載の無線通信システム。
【請求項１９】
Ｄ２Ｄ−ＵＥのペアが直接通信モードにおいて無線フレームの特定のサブフレームで動作している場合、他のＤ２Ｄ−ＵＥが前記直接通信のネットワークによって設定されたリソース上でＤ２Ｄ受信を実行している間、１つのＤ２Ｄ−ＵＥのみがＤ２Ｄ送信を実行する、
請求項１８に記載の無線通信システム。
【請求項２０】
Ｄ２Ｄ−ＵＥは、それぞれ、１つ以上のコンポーネントキャリア上で送信及び受信のいずれかの実行を可能にするＣＡ機能を有し、
前記直接通信のために前記セルラーネットワークによって設定されたリソースが、プライマリコンポーネントキャリアである場合、直接通信モードでセルラー通信は実行されず、
前記直接通信のためにネットワークにより設定されたリソースが、セカンダリコンポーネントキャリアまたは直接通信専用のコンポーネントキャリアである場合：
特定のサブフレームでＤ２Ｄ受信を実行する直接通信モードで動作するＤ２Ｄ−ＵＥは、前記プライマリコンポーネントキャリア上の同じサブフレームによりセルラーダウンリンク信号及び／または物理チャネルの監視または受信を実行可能であり、
特定のサブフレームでＤ２Ｄ送信を実行する直接通信モードで動作するＤ２Ｄ−ＵＥは、前記プライマリコンポーネントキャリア上の同じサブフレームによりセルラーアップリンク信号及び／または物理チャネルの送信を実行可能である、
請求項１９に記載の無線通信システム。
【請求項２１】
前記無線通信システムは、ＣＡ（キャリアアグリゲーション）機能を備えた、Ｄ２Ｄ可能なＬＴＥ（ロングタームエボリューション）ＦＤＤ（周波数分割多重）システムである、
請求項９に記載の無線通信システム。
【請求項２２】
前記セルラーモードでは、アクセスノードが、プライマリダウンリンクコンポーネントキャリアのセルラープライマリダウンリンクリソースとアグリゲートされたセカンダリダウンリンクコンポーネントキャリアのセルラーセカンダリダウンリンクリソースとの一方または両方で、ダウンリンク信号及び／または物理チャネルの送信を実行し、ＵＥは、前記プライマリダウンリンクコンポーネントキャリアと前記セカンダリダウンリンクコンポーネントキャリアとの一方または両方で、ダウンリンク信号及び／または物理チャネルの監視または受信を実行し、
同時に、前記アクセスノードは、プライマリアップリンクコンポーネントキャリアのセルラープライマリアップリンクリソースとアグリゲートされたセカンダリアップリンクコンポーネントキャリアのセルラーセカンダリアップリンクリソースとの一方または両方で、アップリンク信号及び／または物理チャネルの受信を実行し、ＵＥは、前記プライマリアップリンクコンポーネントキャリアと前記セカンダリアップリンクコンポーネントキャリアとの一方または両方で、アップリンク信号及び／または物理チャネルの送信を実行する、
請求項２１に記載の無線通信システム。
【請求項２３】
Ｄ２Ｄ−ＵＥのペアが直接通信モードにおいて無線フレームの特定のサブフレームで動作している場合、他のＤ２Ｄ−ＵＥが直接通信のネットワークによって設定されたリソース上でＤ２Ｄ受信を実行している間、１つのＤ２Ｄ−ＵＥのみがＤ２Ｄ送信を実行する、
請求項２２に記載の無線通信システム。
【請求項２４】
Ｄ２Ｄ−ＵＥは、それぞれ、ＣＡ機能を有し、１つ以上のコンポーネントキャリア上で送信及び受信を実行することが可能であり、
直接通信のためのネットワークにより設定されたリソースが、前記プライマリアップリンクコンポーネントキャリアまたはプライマリダウンリンクコンポーネントキャリアである場合：
プライマリダウンリンクコンポーネントキャリアで特定のサブフレームによりＤ２Ｄ受信を実行するＤ２Ｄ−ＵＥは、前記プライマリアップリンクコンポーネントキャリア上の同じサブフレームにより、セルラーアップリンク信号及び／または物理チャネルの送信を実行可能であり、
前記プライマリアップリンクコンポーネントキャリアで特定のサブフレームによりＤ２Ｄ送信を実行するＤ２Ｄ−ＵＥは、前記プライマリダウンリンクコンポーネントキャリア上の同じサブフレームによりセルラーダウンリンク信号及び／または物理チャネルの監視または受信を実行可能であり、
さらに、直接通信のためのネットワークによって設定されたリソースが、前記セカンダリアップリンクコンポーネントキャリアまたはダウンリンクコンポーネントキャリアまたはＤ２Ｄ専用のコンポーネントキャリアである場合、特定のサブフレームでＤ２Ｄの送信または受信を実行するＤ２Ｄ−ＵＥは、前記プライマリアップリンクコンポーネントキャリアまたは前記ダウンリンクコンポーネントキャリア上の同じサブフレームによりセルラーアップリンク物理チャネル及び／または信号の送信とセルラーダウンリンク物理チャネル及び／または信号の監視または受信とを実行するように、必要に応じて構成されている、
請求項２３に記載の無線通信システム。
【手続補正２】
【補正対象書類名】明細書
【補正対象項目名】発明の名称
【補正方法】変更
【補正の内容】
【発明の名称】デバイスツーデバイス通信の使用方法及び無線通信システム
【手続補正３】
【補正対象書類名】明細書
【補正対象項目名】００９６
【補正方法】変更
【補正の内容】
【００９６】
本出願は、２０１３年４月２４日に出願されたオーストラリア特許出願第２０１３９０１４３２を基礎として優先権の利益を主張するものであり、参照によりその開示の全体が本明細書に組み込まれる。
上記実施形態の一部又は全部は、以下の付記のようにも記載されうるが、以下には限られない。
（付記１）
Ｄ２Ｄ（デバイスツーデバイス）可能なＵＥ（Ｄ２Ｄ−ＵＥ）の送信機のアーキテクチャであって、
セルラーアップリンク送信のために割り当てられたリソースでセルラーアップリンク通信するＬＴＥ（ロングタームエボリューション）送信機及びＤ２Ｄ送信のために割り当てられたリソースでＤ２Ｄ通信するＤ２Ｄ送信機を有する物理（Ｐｈｙｓ）レイヤと、
メディアアクセス制御（ＭＡＣ）レイヤであって：
セルラー通信のための１つ以上のＬＴＥ  ＨＡＲＱ（ハイブリッド自動再送要求）エンティティ及びＤ２Ｄ通信のためのＤ２Ｄ  ＨＡＲＱエンティティと、
適切なＨＡＲＱエンティティを選択し、制御信号を提供し、時間によりセルラー通信及びＤ２Ｄ通信の一方または両方のために適切な送信機を選択する、ＬＴＥ−Ｄ２Ｄモードスイッチングエンティティと、を有し、
さらに、ＬＴＥ無線リンク制御（ＲＬＣ）レイヤと、
パケットデータコンバージェンスプロトコル（ＰＤＣＰ）レイヤと、
を備える、送信機のアーキテクチャ。
（付記２）
前記Ｄ２Ｄ−ＵＥは、ＣＡ（キャリアアグリゲーション）機能を備えず、
前記ＭＡＣレイヤは、セルラー通信のための単一のＬＴＥ  ＨＡＲＱエンティティを備え、
前記ＬＴＥ−Ｄ２Ｄモードスイッチングエンティティは、前記適切なＨＡＲＱエンティティを選択し、制御信号を提供し、時間によりセルラー通信またはＤ２Ｄ通信のいずれかに適切な送信機を選択する、
付記１に記載の送信機のアーキテクチャ。
（付記３）
前記Ｄ２Ｄ−ＵＥは、ＣＡ（キャリアアグリゲーション）機能を備えており、
前記ＭＡＣレイヤは、セルラー通信のための１つ以上のＬＴＥ  ＨＡＲＱエンティティを備え、
前記ＬＴＥ−Ｄ２Ｄモードスイッチングエンティティは、前記適切なＨＡＲＱエンティティを選択し、制御信号を提供し、時間によりセルラー通信及び／またはＤ２Ｄ通信のために適切な送信機を選択する、
付記１に記載の送信機のアーキテクチャ。
（付記４）
Ｄ２Ｄ（デバイスツーデバイス）可能なＵＥ（Ｄ２Ｄ−ＵＥ）の受信機のアーキテクチャであって、
セルラーダウンリンク送信のために割り当てられたリソースでセルラーダウンリンク通信するＬＴＥ（ロングタームエボリューション）受信機及びＤ２Ｄ送信のために割り当てられたリソースでＤ２Ｄ通信するＤ２Ｄ受信機を有する物理（Ｐｈｙｓ）レイヤと、
メディアアクセス制御（ＭＡＣ）レイヤであって：
セルラー通信でトランスポートチャネルの受信を処理する１つ以上のＬＴＥ  ＨＡＲＱ（ハイブリッド自動再送要求）エンティティ及びＤ２Ｄ通信でトランスポートチャネルの受信を処理するＤ２Ｄ  ＨＡＲＱエンティティと、
適切なＨＡＲＱエンティティを選択し、制御信号を提供し、時間によりセルラー通信及びＤ２Ｄ通信の一方または両方のために適切な受信機を選択する、ＬＴＥ−Ｄ２Ｄモードスイッチングエンティティと、を有し、
さらに、ＬＴＥ無線リンク制御（ＲＬＣ）レイヤと、
パケットデータコンバージェンスプロトコル（ＰＤＣＰ）レイヤと、
を備える、受信機のアーキテクチャ。
（付記５）
前記Ｄ２Ｄ−ＵＥは、ＣＡ（キャリアアグリゲーション）機能を備えず、
前記ＭＡＣレイヤは、セルラー通信のための単一のＬＴＥ  ＨＡＲＱエンティティを備え、
前記ＬＴＥ−Ｄ２Ｄモードスイッチングエンティティは、前記適切なＨＡＲＱエンティティを選択し、制御信号を提供し、時間によりセルラー通信またはＤ２Ｄ通信のいずれかに適切な受信機を選択する、
付記４に記載の受信機のアーキテクチャ。
（付記６）
前記Ｄ２Ｄ−ＵＥは、ＣＡ（キャリアアグリゲーション）機能を備えており、
前記ＭＡＣレイヤは、セルラー通信のための１つ以上のＬＴＥ  ＨＡＲＱエンティティを備え、
前記ＬＴＥ−Ｄ２Ｄモードスイッチングエンティティは、前記適切なＨＡＲＱエンティティを選択し、制御信号を提供し、時間によりセルラー通信及び／またはＤ２Ｄ通信のために適切な受信機を選択する、
付記４に記載の受信機のアーキテクチャ。